(57)【要約】【課題】  本発明は、型枠間隔保持具と型枠を狭持固定するための取付け具で、型枠の取付けと除去を容易に離脱するようにした型枠取付け兼用型枠除去具及びコンクリート型枠工法を提供するものである。また、コンクリート打設の際、前記除去具に振動等が加わりナット部材が緩むことがある。以上の問題点を課題とする。【解決手段】  円形板状の一端面と、前記他端面の中央に円筒形状からなる型枠間隔保持具の一端を螺合する雌ネジ部と、前記円筒形状の周面に雄ネジ部を有する締付金具と、前記金具の外端部に四角柱形状の締結受部や前記締結受部の外面を垂直平面とする中心に十字溝受部を形成し、さらに前記金具に型枠を狭持固定する締付けナット、或いは、楔形状の緩み防止部材を打込むための受貫通孔及び前記防止部材と、端太材を保持する締付座金と、前記座金を固定するナット部材を配置して、型枠と前記除去具を同時に撤去できるように構成する。【選択図】図１
2008267109.tif 000002
【特許請求の範囲】
【請求項１】
型枠の内面側から外面側に離脱可能に取付けられる締付金具と、前記金具に装着され、型枠の外面側に配置される型枠を狭時固定する締付ナットと、端太材を外側から押える締付座金と、前記金具に設けた雄ネジ部に螺合され、前記座金を外側から締付けるナット部材とを具備するコンクリート型枠取付け兼用型枠除去具において、前記ナット部材の後部に二面以上の平坦部からなる操作用工具受部の中心に楔形状の緩み防止部材を打込むための受貫通孔と、前記緩み防止部材と、さらに前記金具の外端部に外面を垂直平面とする中心に十字溝受部を有することを特徴とするコンクリート型枠取付け兼用型枠除去具。
【請求項２】
型枠の内面側から外面側に離脱可能に取付けられる締付金具と、前記金具に装着され、型枠の外面側に配置される型枠を狭時固定する楔形状の緩み防止部材と、端太材を外側から押える締付座金と、前記金具に設けた雄ネジ部に螺合され、前記座金を外側から締付けるナット部材とを具備するコンクリート型枠取付け兼用型枠除去具において、前記金具の型枠を狭持固定する位置に二面以上の平坦部からなる操作用工具受部の中心に楔形状の緩み防止部材を打込むための受貫通孔と、前記ナット部材の後部に二面以上の平坦部からなる操作用工具受部の中心に楔形状の緩み防止部材を打込むための受貫通孔と、前記緩み防止部材と、さらに前記金具の外端部に外面を垂直平面とする中心に十字溝受部を有することを特徴とするコンクリート型枠取付け兼用型枠除去具。
【請求項３】
型枠の内面側から外面側に離脱可能に取付けられる締付金具と、前記金具に装着され、型枠の外面側に配置される型枠を狭時固定する楔形状の緩み防止部材と、端太材を外側から押える締付座金と、前記座金を外側から締付ける楔形状の緩み防止部材とを具備するコンクリート型枠取付け兼用型枠除去具において、前記金具の型枠を狭持固定する位置に二面以上の平坦部からなる操作用工具受部の中心に楔形状の緩み防止部材を打込むための受貫通孔と、前記座金の後部に二面以上の平坦部からなる操作用工具受部の中心に楔形状の緩み防止部材を打込むための受貫通孔と、前記緩み防止部材と、さらに前記金具の外端部に四角柱形状の締結受部と、前記締結受部の外面を垂直平面とする中心に十字溝受部を有することを特徴とするコンクリート型枠取付け兼用型枠除去具。
【請求項４】
請求項１・２・３に記載の型枠取付け兼用型枠除去具をコンクリート打設面に取付ける固定工程と、前記除去具が固定されたコンクリート型枠をコンクリート打設面に固定してコンクリートを打設し、コンクリート躯体を形成するコンクリート打設工程と、形成されたコンクリート躯体から前記除去具とともにコンクリート型枠を解体撤去するコンクリート型枠除去工程とを有するコンクリート型枠工法。
【発明の詳細な説明】
【技術分野】
【０００１】  本発明は、コンクリート型枠工事に用いられるコンクリート打設時の型枠間隔保持具と、型枠を固定するための取付け具及び除去具とコンクリート型枠離脱工法に関するものである。
【背景技術】
【０００２】  従来のコンクリート型枠離脱工法においては、コンクリート打設後に型枠間隔保持具と、型枠貫通孔を介して型枠を狭持している取付け具及び除去具を撤去した後、コンクリート型枠を離脱していた。
【発明の開示】
【発明が解決しようとする課題】
【０００３】  本発明は、このような従来の型枠間隔保持具と型枠を狭持固定するための取付け具の特性を生かしながら、型枠の取付けと型枠除去を容易に離脱するようにした型枠取付け兼用型枠除去具及びコンクリート型枠工法を提供しようとするものである。また、コンクリート打設の際、前記除去具に振動等が加えられナット部材が緩むことがある。以上の問題点を課題とする。
【課題を解決するための手段】
【０００４】  上記課題を解決するために、本発明は次のような構成を有する。
請求項１に記載の発明は、型枠の内面側から外面側に離脱可能に取付けられる締付金具と、前記金具に装着され、型枠の外面側に配置される型枠を狭時固定する締付ナットと、端太材を外側から押える締付座金と、前記金具に設けた雄ネジ部に螺合され、前記座金を外側から締付けるナット部材とを具備するコンクリート型枠取付け兼用型枠除去具において、前記ナット部材の後部に二面以上の平坦部からなる操作用工具受部の中心に楔形状の緩み防止部材を打込むための受貫通孔と、前記緩み防止部材と、さらに前記金具の外端部に外面を垂直平面とする中心に十字溝受部を有し、型枠と前記除去具を同時に撤去することを特徴とする。【０００５】  請求項２に記載の発明は、型枠の内面側から外面側に離脱可能に取付けられる締付金具と、前記金具に装着され、型枠の外面側に配置される型枠を狭時固定する楔形状の緩み防止部材と、端太材を外側から押える締付座金と、前記金具に設けた雄ネジ部に螺合され、前記座金を外側から締付けるナット部材とを具備するコンクリート型枠取付け兼用型枠除去具において、前記金具の型枠を狭持固定する位置に二面以上の平坦部からなる操作用工具受部の中心に楔形状の緩み防止部材を打込むための受貫通孔と、前記ナット部材の後部に二面以上の平坦部からなる操作用工具受部の中心に楔形状の緩み防止部材を打込むための受貫通孔と、前記緩み防止部材と、さらに前記金具の外端部に外面を垂直平面とする中心に十字溝受部を有し、型枠と前記除去具を同時に撤去することを特徴とする。【０００６】  請求項３に記載の発明は、型枠の内面側から外面側に離脱可能に取付けられる締付金具と、前記金具に装着され、型枠の外面側に配置される型枠を狭時固定する楔形状の緩み防止部材と、端太材を外側から押える締付座金と、前記座金を外側から締付ける楔形状の緩み防止部材とを具備するコンクリート型枠取付け兼用型枠除去具において、前記金具の型枠を狭持固定する位置に二面以上の平坦部からなる操作用工具受部の中心に楔形状の緩み防止部材を打込むための受貫通孔と、前記座金の後部に二面以上の平坦部からなる操作用工具受部の中心に楔形状の緩み防止部材を打込むための受貫通孔と、前記緩み防止部材と、さらに前記金具の外端部に四角柱形状の締結受部と、前記締結受部の外面を垂直平面とする中心に十字溝受部を有し、型枠と前記除去具を同時に撤去することを特徴とする。【０００７】  請求項４に記載の発明は、請求項１・２・３を有する型枠取付け兼用型枠除去具をコンクリート打設面に取付ける固定工程と、前記除去具が固定されたコンクリート型枠をコンクリート打設面に固定してコンクリートを打設し、コンクリート躯体を形成するコンクリート打設工程と、形成されたコンクリート躯体から前記除去具とともにコンクリート型枠を解体撤去するコンクリート型枠除去工程とを有するコンクリート型枠工法である。
【発明の効果】
【０００８】  以上のような構成により、本願発明は次のような効果を奏する。
請求項１に記載の発明は、型枠の内面側から外面側に離脱可能に取付けられる締付金具と、前記金具に装着され、型枠の外面側に配置される型枠を狭時固定する締付ナットと、端太材を外側から押える締付座金と、前記金具に設けた雄ネジ部に螺合され、前記座金を外側から締付けるナット部材とを具備するコンクリート型枠取付け兼用型枠除去具において、前記ナット部材の後部に二面以上の平坦部からなる操作用工具受部の中心に楔形状の緩み防止部材を打込むための受貫通孔と、前記緩み防止部材と、さらに前記金具の外端部に外面を垂直平面とする中心に十字溝受部を有することを特徴とするコンクリート型枠取付け兼用型枠除去具である。【０００９】  請求項２に記載の発明は、型枠の内面側から外面側に離脱可能に取付けられる締付金具と、前記金具に装着され、型枠の外面側に配置される型枠を狭時固定する楔形状の緩み防止部材と、端太材を外側から押える締付座金と、前記金具に設けた雄ネジ部に螺合され、前記座金を外側から締付けるナット部材とを具備するコンクリート型枠取付け兼用型枠除去具において、前記金具の型枠を狭持固定する位置に二面以上の平坦部からなる操作用工具受部の中心に楔形状の緩み防止部材を打込むための受貫通孔と、前記ナット部材の後部に二面以上の平坦部からなる操作用工具受部の中心に楔形状の緩み防止部材を打込むための受貫通孔と、前記緩み防止部材と、さらに前記金具の外端部に外面を垂直平面とする中心に十字溝受部を有することを特徴とするコンクリート型枠取付け兼用型枠除去具である。【００１０】  請求項３に記載の発明は、型枠の内面側から外面側に離脱可能に取付けられる締付金具と、前記金具に装着され、型枠の外面側に配置される型枠を狭時固定する楔形状の緩み防止部材を打込むための受貫通孔と、楔形状の緩み防止部材と、端太材を外側から押える締付座金と、前記座金を外側から締付ける楔形状の緩み防止部材とを具備するコンクリート型枠取付け兼用型枠除去具において、前記金具の型枠を狭持固定する位置に二面以上の平坦部からなる操作用工具受部の中心に楔形状の緩み防止部材を打込むための受貫通孔と、前記座金の後部に二面以上の平坦部からなる操作用工具受部の中心に楔形状の緩み防止部材を打込むための受貫通孔と、前記緩み防止部材と、さらに前記金具の外端部に四角柱形状の締結受部と、前記締結受部の外面を垂直平面とする中心に十字溝受部を有することを特徴とするコンクリート型枠取付け兼用型枠除去具である。【００１１】  請求項４に記載の発明は、請求項１・２・３に記載の型枠取付け兼用型枠除去具をコンクリート打設面に取付ける固定工程と、前記除去具が固定されたコンクリート型枠をコンクリート打設面に固定してコンクリートを打設し、コンクリート躯体を形成するコンクリート打設工程と、形成されたコンクリート躯体から前記除去具とともにコンクリート型枠を解体撤去するコンクリート型枠除去工程とを有するコンクリート型枠工法である。従来品は型枠間隔保持具より、型枠外面側に型枠取付け具類を配置していた。本発明は、請求項１・２・３に記載のように型枠内面側に取付ける構成としたので、型枠を解体撤去する場合に作業効率の向上に効果がある。また、従来の使用方法同様に型枠間隔保持具と型枠を狭持する取付け具としても使用できる。さらに、型枠解体撤去の場合、締付金具の外端部に複数の形状からなる締結受部と、十字溝受部を設けたことで複数の電動工具類を使用でき、また、型枠と前記金具が同時に撤去できる相乗効果がある。また、ナット部材を楔形状の緩み防止部材で固定するので、型枠解体撤去の際、これを回転し戻すことで前記防止部材が係止部の役目を果たすので、型枠間隔保持具より前記金具を直接撤去することも可能である。従って、前記防止部材は、前記ナット部材の締結受部より径小とし電動工具類の係合を容易とする。なお、上記記載の形状に関して特別限定するものではない。
【発明を実施するための最良の形態】
【００１２】  以下、本発明の実施の形態について、図面を参照しながら説明する。
（実施形態１）
実施形態１に係る型枠取付け兼用型枠除去具Ａを図１・２に示す。実施形態１においては、円形板状の一端面１ａに、型枠間隔保持具ｘの一端を螺合する雌ネジ部３と、前記他端面１ｂ中央に円筒形状の周面に雄ネジ部１ｃと二面以上の平坦部からなる操作用工具受部１ｄと、楔形状の緩み防止部材５ａを打込むための受貫通孔１ｅと、前記防止部材５ａと、外端部に外面を垂直平面とする中心に十字溝受部１ｇを有する締付金具１を形成し、さらに前記金具１に型枠を狭持固定する締付ナット５と、端太材を保持する締付座金６と、前記座金６を固定するナット部材７を配置してある。前記金具１は、せき板を有する型枠と、前記保持具ｘと、前記円形板状からなる１ａと１ｂと、前記金具貫通孔４と、前記工具受部１ｄと、前記受貫通孔１ｅと、前記防止部材５ａと、前記十字溝受部１ｇから構成されている。せき板には、前記金具１の外径と同径の前記貫通孔４が設けられている。次に、以上の構成からなる型枠取付け兼用型枠除去具Ａの施工について説明する。施工に際しては、前記金具１の前記一端面１ａの雌ネジ部３に前記保持具ｘの雄ネジを螺合し、せき板の内面側から前記金具１の外端部を前記貫通孔４に通して、せき板を含む型枠を立てて仮設する。次に、せき板外面側から前記金具１の雄ネジ部１ｃに、前記締付けナット５を螺合し、せき板を狭持固定する。以上、の工程により上述した前記金具１が形成される。その後  前記座金６と、前記座金６を固定するナット部材７により端太材を介して型枠を狭持する。次に、前記工具受部１ｄの中心にある前記受貫通孔１ｅに前記防止部材５ａを打込んで型枠を固定する。また、対向側の型枠も上記同様の工程で固定しコンクリートを打設する。この際、前記金具１の前記他端面１ｂの外径が前記貫通孔４よりも大きく、前記金具１の前記ナット５も前記貫通孔４外径を完全に塞いでいるので、打設したコンクリートが外面側に漏れることはない。そしてコンクリートが硬化後に、端太材からなる支保工を分解して前記金具１の外端部にある前記十字溝受部１ｇに係合できる電動工具類で前記金具１を取外す。これにより、前記貫通孔４が前記金具１の前記他端面１ｂ外径に対して小さく形成されているので、前記金具１を螺合離脱することによって前記貫通孔４が規制されるのでせき板をコンクリート打設面より容易に取外すことができる。【００１３】（実施形態２）
実施形態２に係る型枠取付け兼用型枠除去具Ｂを図４・５に示す。実施形態２においては、円形板状の一端面１ａに、型枠間隔保持具ｘの一端を螺合する雌ネジ部３と、前記他端面１ｂ中央に円筒形状の周面１ｘに雄ネジ部１ｃと、二面以上の平坦部からなる操作用工具受部１ｄと、楔形状の緩み防止部材５ａを打込むための受貫通孔１ｅと、前記防止部材５ａと、外端部に外面を垂直平面とする中心に十字溝受部１ｇを有する締付金具１を形成し、さらに前記金具１に型枠を狭持固定する前記防止部材５ａと、端太材を保持する締付座金６と、前記座金６を固定するナット部材７を配置してある。前記金具１は、せき板を有する型枠と、前記保持具ｘと、前記円形板状からなる１ａと１ｂと、前記金具貫通孔４と、前記工具受部１ｄと、前記受貫通孔１ｅと、前記防止部材５ａと、前記十字溝受部１ｇから構成されている。せき板には、前記金具１の外径と同径の前記貫通孔４が設けられている。次に、以上の構成からなる型枠取付け兼用型枠除去具Ｂの施工について説明する。施工に際しては、前記金具１の前記一端面１ａの雌ネジ部３に前記保持具ｘの雄ネジを螺合し、せき板の内面側から前記金具１の外端部を前記貫通孔４に通して、せき板を含む型枠を立てて仮設する。次に、せき板外面側から前記金具１の円筒形状の周面１ｘにある前記受貫通孔１ｅに、前記防止部材５ａを打込み、せき板を狭持固定する。以上、の工程により上述した前記金具１が形成される。その後、前記座金６と、前記座金６を固定するナット部材７により端太材を介して型枠を狭持する。次に、前記工具受部１ｄの中心にある前記受貫通孔１ｅに前記防止部材５ａを打込んで型枠を固定する。また、対向側の型枠も上記同様の工程で固定しコンクリートを打設する。この際、前記金具１の前記他端面１ｂの外径が前記貫通孔４よりも大きく、打設したコンクリートが外面側に漏れることはない。そしてコンクリートが硬化後に、端太材からなる支保工を分解して前記金具１の外端部にある前記十字溝受部１ｇに係合できる電動工具類で前記金具１を取外す。これにより、前記貫通孔４が前記金具１の前記他端面１ｂ外径に対して小さく形成されているので、前記金具１を螺合離脱することによって前記貫通孔４が規制されるのでせき板をコンクリート打設面より容易に取外すことができる。【００１４】（実施形態３）
実施形態３に係る型枠取付け兼用型枠除去具Ｃを図７・８に示す。実施形態３においては、円形板状の一端面１ａに、型枠間隔保持具ｘの一端を螺合する雌ネジ部３と、前記他端面１ｂ中央に円筒形状の周面１ｘに二面以上の平坦部からなる操作用工具受部１ｄと、楔形状の緩み防止部材５ａを打込むための受貫通孔１ｅと、前記防止部材５ａと、四角柱形状の締結受部１ｆと、前記締結受部１ｆの外端部に外面を垂直平面とする中心に十字溝受部１ｇを有する締付金具１を形成し、さらに前記金具１に型枠を狭持固定する前記防止部材５ａと、端太材を保持する締付座金６と、前記座金６を固定する前記防止部材５ａを配置してある。前記金具１は、せき板を有する型枠と、前記保持具ｘと、前記円形板状からなる１ａと１ｂと、前記金具貫通孔４と、前記工具受部１ｄと、前記受貫通孔１ｅと、前記防止部材５ａと、前記締結受部１ｆと、前記十字溝受部１ｇから構成されている。せき板には、前記金具１の外径と同径の前記貫通孔４が設けられている。次に、以上の構成からなる型枠取付け兼用型枠除去具Ｃの施工について説明する。施工に際しては、前記金具１の前記一端面１ａの雌ネジ部３に前記保持具ｘの雄ネジを螺合し、せき板の内面側から前記金具１の外端部を前記貫通孔４に通して、せき板を含む型枠を立てて仮設する。次に、せき板外面側から前記金具１の円筒形状の周面１ｘにある前記受貫通孔１ｅに前記防止部材５ａを打込み、せき板を狭持固定する。以上、の工程により上述した前記金具１が形成される。その後、前記座金６を端太材を介して前記工具受部１ｄの中心にある前記受貫通孔１ｅに前記防止部材５ａを打込んで型枠を固定する。また、対向側の型枠も上記同様の工程で固定しコンクリートを打設する。この際、前記金具１の前記他端面１ｂの外径が前記貫通孔４よりも大きく、打設したコンクリートが外面側に漏れることはない。そしてコンクリートが硬化後に、端太材からなる支保工を分解して前記金具１の外端部にある前記締結受部１ｆと、前記十字溝受部１ｇのいずれかに係合できる電動工具類で前記金具１を取外す。これにより、前記貫通孔４が前記金具１の前記他端面１ｂ外径に対して小さく形成されているので、前記金具１を螺合離脱することによって前記貫通孔４が規制されるのでせき板をコンクリート打設面より容易に取外すことができる。【００１５】（実施形態４）
（変形例１）
図３に示す円錐台形状のコーン２の小径側端面２ａに、型枠間隔保持具ｙの一端を螺合する雌ネジ部３と、前記コーン２の大径側端面２ｂの凹部から円筒形状の周面に雄ネジ部１ｃと、二面以上の平坦部からなる操作用工具受部１ｄと、楔形状の緩み防止部材５ａを打込むための受貫通孔１ｅと、楔形状の緩み防止部材５ａと、外端部に外面を垂直平面とする中心に十字溝受部１ｇを有する締付金具１を形成し、さらに前記金具１に型枠を狭持固定する締付ナット部材５と、端太材を保持する締付座金６と、前記座金６を固定するナット部材７を配置してある。前記金具１は、せき板を有する型枠と、前記保持具ｙと、前記コーン２の２ａと２ｂと、前記金具貫通孔４と、前記工具受部１ｄと、前記受貫通孔１ｅと、前記防止部材５ａと、前記十字溝受部１ｇから構成されている。せき板には、前記金具１の外径と同径の前記貫通孔４が設けられている。次に、以上の構成からなる型枠取付け兼用型枠除去具Ａの施工について説明する。施工に際しては、前記金具１の前記小径側端面２ａの雌ネジ部３に前記保持具ｙの雄ネジを螺合し、せき板の内面側から前記金具１の外端部を前記貫通孔４に通して、せき板を含む型枠を立てて仮設する。次に、せき板外面側から前記金具１の雄ネジ部１ｃに前記締付けナット５を螺合し、せき板を狭持固定する。以上、の工程により上述した前記金具１が形成される。その後、前記座金６と、前記座金６を固定するナット部材７により端太材を介して型枠を狭持する。次に、前記工具受部１ｄの中心にある前記受貫通孔１ｅに前記防止部材５ａを打込んで型枠を固定する。また、対向側の型枠も上記同様の工程で固定しコンクリートを打設する。この際、前記金具１の前記大径側端面２ｂの外径が前記貫通孔４よりも大きく、前記金具１の型枠を狭持固定する前記ナット５も前記貫通孔４外径を完全に塞いでいるので、打設したコンクリートが外面側に漏れることはない。そしてコンクリートが硬化後に、端太材からなる支保工を分解して前記金具１の外端部にある前記十字溝受部１ｇに係合できる電動工具類で前記金具１を取外す。これにより、前記貫通孔４が前記金具１の前記大径側端面２ｂ外径に対して小さく形成されているので、前記金具１を螺合離脱することによって前記貫通孔４が規制されるのでせき板をコンクリート打設面より容易に取外すことができる。【００１６】（実施形態５）
（変形例２）
図６に示す円錐台形状のコーン２の小径側端面２ａに、型枠間隔保持具ｙの一端を螺合する雌ネジ部３と、前記コーン２の大径側端面２ｂの凹部から円筒形状の周面１ｘに雄ネジ部１ｃと、二面以上の平坦部からなる操作用工具受部１ｄと、楔形状の緩み防止部材５ａを打込むための受貫通孔１ｅと、外端部に外面を垂直平面とする中心に十字溝受部１ｇを有する締付金具１を形成し、さらに前記金具１に型枠を狭持固定する前記防止部材５ａと、端太材を保持する締付座金６と、前記座金６を固定するナット部材７を配置してある。前記金具１は、せき板を有する型枠と、前記保持具ｙと、前記コーンの２ａと２ｂと、前記金具貫通孔４と、前記工具受部１ｄと、前記受貫通孔１ｅと、前記防止部材５ａと、前記十字溝受部１ｇから構成されている。せき板には、前記金具１の外径と同径の前記貫通孔４が設けられている。次に、以上の構成からなる型枠取付け兼用型枠除去具Ｂの施工について説明する。施工に際しては、前記金具１の前記小径側端面２ａの雌ネジ部３に前記保持具ｙの雄ネジを螺合し、せき板の内面側から前記金具１の外端部を前記貫通孔４に通して、せき板を含む型枠を立てて仮設する。次に、せき板外面側から前記金具１の円筒形状の周面１ｘにある前記受貫通孔１ｅに、前記防止部材５ａを打込み、せき板を狭持固定する。以上、の工程により上述した前記金具１が形成される。その後、前記座金６と、前記座金６を固定するナット部材７により端太材を介して型枠を狭持する。次に、前記工具受部１ｄの中心にある前記受貫通孔１ｅに前記防止部材５ａを打込んで型枠を固定する。また、対向側の型枠も上記同様の工程で固定しコンクリートを打設する。この際、前記金具１の前記大径側端面２ｂの外径が前記貫通孔４よりも大きく、打設したコンクリートが外面側に漏れることはない。そしてコンクリートが硬化後に、端太材からなる支保工を分解して前記金具１の外端部にある前記十字溝受部１ｇに係合できる電動工具類で前記金具１を取外す。これにより、前記貫通孔４が前記金具１の前記大径側端面２ｂ外径に対して小さく形成されているので、前記金具１を螺合離脱することによって前記貫通孔４が規制されるのでせき板をコンクリート打設面より容易に取外すことができる。【００１７】（実施形態６）
（変形例３）
図９に示す円錐台形状のコーン２の小径側端面２ａに、型枠間隔保持具ｙの一端を螺合する雌ネジ部３と、前記コーン２の大径側端面２ｂの凹部から円筒形状の周面１ｘに、二面以上の平坦部からなる操作用工具受部１ｄと、楔形状の緩み防止部材５ａを打込むための受貫通孔１ｅと、外端部に四角柱形状の締結受部１ｆと、前記締結受部１ｆの外面を垂直平面とする中心に十字溝受部１ｇを有する締付金具１を形成し、さらに前記金具１に型枠を狭持固定する前記防止部材５ａと、端太材を保持する締付座金６と、前記座金６を固定する前記防止部材５ａを配置してある。前記金具１は、せき板を有する型枠と、前記保持具ｙと、前記円形板状からなる１ａと１ｂと、前記金具貫通孔４と、前記工具受部１ｄと、前記受貫通孔１ｅと、前記防止部材５ａと、前記締結受部１ｆと、前記十字溝受部１ｇから構成されている。せき板には、前記金具１の外径と同径の前記貫通孔４が設けられている。次に、以上の構成からなる型枠取付け兼用型枠除去具Ｃの施工について説明する。施工に際しては、前記金具１の前記小径側２ａ端面１ａの雌ネジ部３に前記保持具ｙの雄ネジを螺合し、せき板の内面側から前記金具１の外端部を前記貫通孔４に通して、せき板を含む型枠を立てて仮設する。次に、せき板外面側から前記金具１の円筒形状の周面１ｘにある前記受貫通孔１ｅに前記防止部材５ａを打込み、せき板を狭持固定する。以上、の工程により上述した前記金具１が形成される。その後、前記座金６を端太材を介して前記工具受部１ｄの中心にある前記受貫通孔１ｅに前記防止部材５ａを打込んで型枠を固定する。また、対向側の型枠も上記同様の工程で固定しコンクリートを打設する。この際、前記金具１の前記大径側端面２ｂの外径が前記貫通孔４よりも大きく、打設したコンクリートが外面側に漏れることはない。そしてコンクリートが硬化後に、端太材からなる支保工を分解して前記金具１の外端部にある前記締結受部１ｆと、前記十字溝受部１ｇのいずれかに係合できる電動工具類で前記金具１を取外す。これにより、前記貫通孔４が前記金具１の前記大径側端面２ｂ外径に対して小さく形成されているので、前記金具１を螺合離脱することによって前記貫通孔４が規制されるのでせき板をコンクリート打設面より容易に取外すことができる。
【図面の簡単な説明】
【００１８】
【図１】  実施形態１に係る型枠取付け兼用型枠除去具の分解斜視図である。
【図２】  実施形態１に係る型枠取付け兼用型枠除去具の取付け図である。
【図３】  実施形態４に係る型枠取付け兼用型枠除去具の取付け図である。
【図４】  実施形態２に係る型枠取付け兼用型枠除去具の分解斜視図である。
【図５】  実施形態２に係る型枠取付け兼用型枠除去具の取付け図である。
【図６】  実施形態５に係る型枠取付け兼用型枠除去具の取付け図である。
【図７】  実施形態３に係る型枠取付け兼用型枠除去具の分解斜視図である。
【図８】  実施形態３に係る型枠取付け兼用型枠除去具の取付け図である。
【図９】  実施形態６に係る型枠取付け兼用型枠除去具の取付け図である。
【図１０】  実施形態１・２・４・５に係る型枠取付け兼用型枠除去具の外端部を示す平面図である。
【図１１】  実施形態３・６に係る型枠取付け兼用型枠除去具の外端部を示す平面図である。
【符号の説明】
【００１９】Ａ    型枠取付け兼用型枠除去具
Ｂ    型枠取付け兼用型枠除去具
Ｃ    型枠取付け兼用型枠除去具
１    締付金具
１ｘ  円筒形状の周面
１ａ  円形板状の一端面
１ｂ  円形板状の他端面
１ｃ  雄ネジ部
１ｄ  操作用工具受部
１ｅ  受貫通孔
１ｆ  四角柱形状の締結受部
１ｇ  十字溝受部
２    円錐台形状のコーン
２ａ  円錐台形状のコーンの小径側端面
２ｂ  円錐台形状のコーンの大径側端面
３    雌ネジ部
４    貫通孔
５    型枠を狭持固定する締付けナット
５ａ  楔形状の緩み防止部材
６    締付座金
７    締付座金を狭持固定するナット部材
ｘ    型枠間隔保持具
ｙ    型枠間隔保持具
【図１】
2008267109.tif 000003
【図２】
2008267109.tif 000004
【図３】
2008267109.tif 000005
【図４】
2008267109.tif 000006
【図５】
2008267109.tif 000007
【図６】
2008267109.tif 000008
【図７】
2008267109.tif 000009
【図８】
2008267109.tif 000010
【図９】
2008267109.tif 000011
【図１０】
2008267109.tif 000012
【図１１】
2008267109.tif 000013
【手続補正書】
【提出日】平成20年6月25日(2008.6.25)
【手続補正１】
【補正対象書類名】特許請求の範囲
【補正対象項目名】全文
【補正方法】変更
【補正の内容】
【特許請求の範囲】
【請求項１】
型枠の内面側から外面側に離脱可能に取付けられる締付金具と、前記金具に装着され、型枠の外面側に配置される型枠を狭時固定する締付ナットと、端太材を外側から押える締付座金と、前記金具に設けた雄ネジ部に螺合され、前記座金を外側から狭持固定するナット部材とを具備するコンクリート型枠取付け兼用型枠除去具において、前記ナット部材の後部に二面以上の平坦部からなる操作用工具受部の中心に楔形状の緩み防止部材を打込むための受貫通孔を設け、前記緩み防止部材を打込む構成とし、さらに前記金具の外端部に外面を垂直平面とする中心に十字溝受部を有することを特徴とするコンクリート型枠取付け兼用型枠除去具。
【請求項２】
型粋の内面側から外面側に離脱可能に取付けられる締付金具と、前記金具に装着され、型枠の外面側に配置される型枠を狭時固定する楔形状の緩み防止部材と、端太材を外側から押える締付座金と、前記金具に設けた雄ネジ部に螺合され、前記座金を外側から狭持固定するナット部材とを具備するコンクリート型枠取付け兼用型枠除去具において、前記金具の型粋を狭持固定する位置に二面以上の平坦部からなる操作用工具受部の中心に楔形状の緩み防止部材を打込むための受貫通孔と、前記ナット部材の後部に二面以上の平坦部からなる操作用工具受部の中心に楔形状の緩み防止部材を打込むための受貫通孔を設け、前記緩み防止部材を打込む構成とし、さらに前記金具の外端部に外面を垂直平面とする中心に十字溝受部を有することを特徴とするコンクリート型枠取付け兼用型枠除去具。
【請求項３】
請求項１・２に記載の型枠取付け兼用型枠除去具をコンクリート打設面に取付ける固定工程と、前記除去具が固定されたコンクリート型枠をコンクリート打設面に固定してコンクリートを打設し、コンクリート躯体を形成するコンクリート打設工程と、形成されたコンクリート躯体から前記除去具とともにコンクリート型枠を解体撤去するコンクリート型枠除去工程とを有するコンクリート型枠工法であって、前記除去具は、締付金具で型枠を狭時固定する締付ナットと、締付座金と、前記座金を狭持固定するナット部材と、前記ナット部材の緩み防止を目的とした楔形状の緩み防止部材とから形成されているものであり、前記固定工程及びコンクリート打設工程の後に、前記除去具に電動工具類を係合させ型枠と前記除去具を同時に解体撤去するコンクリート型枠除去工程とを有するコンクリート型枠工法。
【手続補正２】
【補正対象書類名】明細書
【補正対象項目名】全文
【補正方法】変更
【補正の内容】
【発明の詳細な説明】
【技術分野】
【０００１】  本発明は、コンクリート型枠工事に用いられるコンクリート打設時の型枠間隔保持具と、型枠を固定するための取付け具及び除去具とコンクリート型枠離脱工法に関するものである。
【背景技術】
【０００２】  従来のコンクリート型枠離脱工法においては、コンクリート打設後に型枠間隔保持具と、型枠貫通孔を介して型枠を狭持している取付け具及び除去具を撤去した後、コンクリート型枠を離脱していた。
【発明の開示】
【発明が解決しようとする課題】
【０００３】  本発明は、このような従来の型枠間隔保持具と型枠を狭持固定するための取付け具の特性を生かしながら、型枠の取付けと型枠除去を容易に離脱するようにした型枠取付け兼用型枠除去具及びコンクリート型枠工法を提供しようとするものである。また、コンクリート打設の際、前記除去具に振動等が加えられナット部材が緩むことがある。以上の問題点を課題とする。
【課題を解決するための手段】
【０００４】  上記課題を解決するために、本発明は次のような構成を有する。
請求項１に記載の発明は、型枠の内面側から外面側に離脱可能に取付けられる締付金具と、前記金具に装着され、型枠の外面側に配置される型枠を狭時固定する締付ナットと、端太材を外側から押える締付座金と、前記金具に設けた雄ネジ部に螺合され、前記座金を外側から狭持固定ナット部材とを具備するコンクリート型枠取付け兼用型枠除去具において、前記ナット部材の後部に二面以上の平坦部からなる操作用工具受部の中心に楔形状の緩み防止部材を打込むための受貫通を設け、前記緩み防止部材を打込む構成とし、さらに前記金具の外端部に外面を垂直平面とする中心に十字溝受部を有し、型枠と前記除去具を同時に撤去することを特徴とする。【０００５】  請求項２に記載の発明は、型枠の内面側から外面側に離脱可能に取付けられる締付金具と、前記金具に装着され、型枠の外面側に配置される型枠を狭時固定する楔形状の緩み防止部材と、端太材を外側から押える締付座金と、前記金具に設けた雄ネジ部に螺合され、前記座金を外側から狭持固定ナット部材とを具備するコンクリート型枠取付け兼用型枠除去具において、前記金具の型枠を狭持固定する位置に二面以上の平坦部からなる操作用工具受部の中心に楔形状の緩み防止部材を打込むための受貫通孔と、前記ナット部材の後部に二面以上の平坦部からなる操作用工具受部の中心に楔形状の緩み防止部材を打込むための受貫通孔を設け、前記緩み防止部材を打込む構成とし、さらに前記金具の外端部に外面を垂直平面とする中心に十字溝受部を有し、型枠と前記除去具を同時に撤去することを特徴とする。【０００６】  請求項３に記載の発明は、請求項１・２に記載の型枠取付け兼用型枠除去具をコンクリート打設面に取付ける固定工程と、前記除去具が固定されたコンクリート型枠をコンクリート打設面に固定してコンクリートを打設し、コンクリート躯体を形成するコンクリート打設工程と、形成されたコンクリート躯体から前記除去具とともにコンクリート型枠を解体撤去するコンクリート型枠除去工程とを有するコンクリート型枠工法であって、前記除去具は、締付金具で型枠を狭時固定する締付ナットと、締付座金と、前記座金を狭持固定するナット部材と、前記ナット部材の緩み防止を目的とした楔形状の繰み防止部材とから形成されているものであり、前記固定工程及びコンクリート打設工程の後に、前記除去具に電動工具類を係合させ型枠と前記除去具を同時に解体撤去するコンクリート型枠除去工程とを有するコンクリート型枠工法である。
【発明の効果】
【０００７】  以上のような構成により、本願発明は次のような効果を奏する。
請求項１に記載の発明は、型枠の内面側から外面側に離脱可能に取付けられる締付金具と、前記金具に装着され、型枠の外面側に配置される型枠を狭時固定する締付ナットと、端太材を外側から押える締付座金と、前記金具に設けた雄ネジ部に螺合され、前記座金を外側から狭持固定ナット部材とを具備するコンクリート型枠取付け兼用型枠除去具において、前記ナット部材の後部に二面以上の平坦部からなる操作用工具受部の中心に楔形状の緩み防止部材を打込むための受貫通孔を設け、前記緩み防止部材を打込む構成とし、さらに前記金具の外端部に外面を垂直平面とする中心に十字溝受部を有することを特徴とするコンクリート型枠取付け兼用型枠除去具である。【０００８】  請求項２に記載の発明は、型枠の内面側から外面側に離脱可能に取付けられる締付金具と、前記金具に装着され、型枠の外面側に配置される型枠を狭時固定する楔形状の緩み防止部材と、端太材を外側から押える締付座金と、前記金具に設けた雄ネジ部に螺合され、前記座金を外側から狭持固定ナット部材とを具備するコンクリート型枠取付け兼用型枠除去具において、前記金具の型枠を狭持固定する位置に二面以上の平坦部からなる操作用工具受部の中心に楔形状の緩み防止部材を打込むための受貫通孔と、前記ナット部材の後部に二面以上の平坦部からなる操作用工具受部の中心に楔形状の緩み防止部材を打込むための受貫通孔を設け、前記緩み防止部材を打込む構成とし、さらに前記金具の外端部に外面を垂直平面とする中心に十字溝受部を有することを特徴とするコンクリート型枠取付け兼用型枠除去具である。【０００９】  請求項３に記載の発明は、請求項１・２に記載の型枠取付け兼用型枠除去具をコンクリート打設面に取付ける固定工程と、前記除去具が固定されたコンクリート型枠をコンクリート打設面に固定してコンクリートを打設し、コンクリート躯体を形成するコンクリート打設工程と、形成されたコンクリート躯体から前記除去具とともにコンクリート型粋を解体撤去するコンクリート型枠除去工程とを有するコンクリート型枠工法であって、前記除去具は、締付金具で型枠を狭時固定する締付ナットと、締付座金と、前記座金を狭持固定するナット部材と、前記ナット部材の緩み防止を目的とした楔形状の緩み防止部材とから形成されているものであり、前記固定工程及びコンクリート打設工程の後に、前記除去具に電動工具類を係合させ型枠と前記除去具を同時に解体撤去するコンクリート型枠除去工程とを有するコンクリート型枠工法である。従来品は型枠間隔保持具より、型枠外面側に型枠取付け具類を配置していた。本発明は、請求項１・２に記載のように型枠内面側に取付ける構成としたので、型枠を解体撤去する場合に作業効率の向上に効果がある。また、従来の使用方法同様に型枠間隔保持具と型枠を狭持する取付け具としても使用できる。さらに、型枠解体撤去の場合、締付金具の外端部に複数の形状からなる締結受部と、十字溝受部を設けたことで複数の電動工具類を使用でき、また、型枠と前記金具が同時に撤去できる相乗効果がある。また、ナット部材を楔形状の緩み防止部材で固定するので、型枠解体撤去の際、これを回転し戻すことで前記防止部材が係止部の役目を果たすので、型枠間隔保��具より前記金具を直接撤去することも可能である。従って、前記防止部材は、前記ナット部材の締結受部より径小とし電動工具類の係合を容易とする。なお、上記記載の形状に関して特別限定するものではない。
【発明を実施するための最良の形態】
【００１０】  以下、本発明の実施の形態について、図面を参照しながら説明する。
（実施形態１）
実施形態１に係る型粋取付け兼用型枠除去具Ａを図１・２に示す。実施形態１においては、円形板状の一端面１ａに、型枠間隔保持具ｘの一端を螺合する雌ネジ部３と、前記他端面１ｂ中央に円筒形状の周面に雄ネジ部１ｃと二面以上の平坦部からなる操作用工具受部１ｄと、楔形状の緩み防止部材５ａを打込むための受貫通孔１ｅと、前記防止部材５ａと、外端部に外面を垂直平面とする中心に十字溝受部１ｇを有する締付金具１を形成し、さらに前記金具１に型枠を狭持固定する締付ナット５と、端太材を保持する締付座金６と、前記座金６を狭持固定するナット部材７を配置してある。前記金具１は、せき板を有する型枠と、前記保持具ｘと、前記円形板状からなる１ａと１ｂと、前記金具貫通孔４と、前記工具受部１ｄと、前記受貫通孔１ｅと、前記防止部材５ａと、前記十字溝受部１ｇから構成されている。せき板には、前記金具１の外径と同径の前記貫通孔４が設けられている。次に、以上の構成からなる型枠取付け兼用型枠除去具Ａの施工について説明する。施工に際しては、前記金具１の前記一端面１ａの雌ネジ部３に前記保持具ｘの雄ネジを螺合し、せき板の内面側から前記金具１の外端部を前記貫通孔４に通して、せき板を含む型枠を立てて仮設する。次に、せき板外面側から前記金具１の雄ネジ部１ｃに、前記締付けナット５を螺合し、せき板を狭持固定する。以上、の工程により上述した前記金具１が形成される。その後  前記座金６と、前記座金６を狭持固定するナット部材７により端太材を介して型枠を狭持する。次に、前記工具受部１ｄの中心にある前記受貫通孔１ｅに前記防止部材５ａを打込んで型枠を固定する。また、対向側の型枠も上記同様の工程で固定しコンクリートを打設する。この際、前記金具１の前記他端面１ｂの外径が前記貫通孔４よりも大きく、前記金具１の前記ナット５も前記貫通孔４外径を完全に塞いでいるので、打設したコンクリートが外面側に漏れることはない。そしてコンクリートが硬化後に、端太材からなる支保工を分解して前記金具１の外端部にある前記十字溝受部１ｇに係合できる電動工具類で前記金具１を取外す。これにより、前記貫通孔４が前記金具１の前記他端面１ｂ外径に対して小さく形成されているので、前記金具１を螺合離脱することによって前記貫通孔４が規制されるのでせき板をコンクリート打設面より容易に取外すことができる。【００１１】（実施形態２）
実施形態２に係る型枠取付け兼用型枠除去具Ｂを図４・５に示す。実施形態２においては、円形板状の一端面１ａに、型枠間隔保持具ｘの一端を螺合する雌ネジ部３と、前記他端面１ｂ中央に円筒形状の周面１ｘに雄ネジ部１ｃと、二面以上の平坦部からなる操作用工具受部１ｄと、楔形状の緩み防止部材５ａを打込むための受貫通孔１ｅと、前記防止部材５ａと、外端部に外面を垂直平面とする中心に十字溝受部１ｇを有する締付金具１を形成し、さらに前記金具１に型枠を狭持固定する前記防止部材５ａと、端太材を保持する締付座金６と、前記座金６を挟持固定するナット部材７を配置してある。前記金具１は、せき板を有する型枠と、前記保持具ｘと、前記円形板状からなる１ａと１ｂと、前記金具貫通孔４と、前記工具受部１ｄと、前記受貫通孔１ｅと、前記防止部材５ａと、前記十字溝受部１ｇから構成されている。せき板には、前記金具１の外径と同径の前記貫通孔４が設けられている。次に、以上の構成からなる型枠取付け兼用型枠除去具Ｂの施工について説明する。施工に際しては、前記金具１の前記一端面１ａの雌ネジ部３に前記保持具ｘの雄ネジを螺合し、せき板の内面側から前記金具１の外端部を前記貫通孔４に通して、せき板を含む型枠を立てて仮設する。次に、せき板外面側から前記金具１の円筒形状の周面１ｘにある前記受貫通孔１ｅに、前記防止部材５ａを打込み、せき板を狭持固定する。以上、の工程により上述した前記金具１が形成される。その後、前記座金６と、前記座金６を狭持固定するナット部材７により端太材を介して型枠を狭持する。次に、前記工具受部１ｄの中心にある前記受貫通孔１ｅに前記防止部材５ａを打込んで型枠を固定する。また、対向側の型枠も上記同様の工程で固定しコンクリートを打設する。この際、前記金具１の前記他端面１ｂの外径が前記貫通孔４よりも大きく、打設したコンクリートが外面側に漏れることはない。そしてコンクリートが硬化後に、端太材からなる支保工を分解して前記金具１の外端部にある前記十字溝受部１ｇに係合できる電動工具類で前記金具１を取外す。これにより、前記貫通孔４が前記金具１の前記他端面１ｂ外径に対して小さく形成されているので、前記金具１を螺合離脱することによって前記貫通孔４が規制されるのでせき板をコンクリート打設面より容易に取外すことができる。【００１２】（実施形態３）
実施形態３に係る型枠取付け兼用型枠除去具Ｃを図７・８に示す。実施形態３においては、円形板状の一端面１ａに、型枠間隔保持具ｘの一端を螺合する雌ネジ部３と、前記他端面１ｂ中央に円筒形状の周面１ｘに二面以上の平坦部からなる操作用工具受部１ｄと、楔形状の緩み防止部材５ａを打込むための受貫通孔１ｅと、前記防止部材５ａと、四角柱形状の締結受部１ｆと、前記締結受部１ｆの外端部に外面を垂直平面とする中心に十字溝受部１ｇを有する締付金具１を形成し、さらに前記金具１に型枠を狭持固定する前記防止部材５ａと、端太材を保持する締付座金６と、前記座金６を狭持固定する前記防止部材５ａを配置してある。前記金具１は、せき板を有する型枠と、前記保持具ｘと、前記円形板状からなる１ａと１ｂと、前記金具貫通孔４と、前記工具受部１ｄと、前記受貫通孔１ｅと、前記防止部材５ａと、前記締結受部１ｆと、前記十字溝受部１ｇから構成されている。せき板には、前記金具１の外径と同径の前記貫通孔４が設けられている。次に、以上の構成からなる型枠取付け兼用型枠除去具Ｃの施工について説明する。
施工に際しては、前記金具１の前記一端面１ａの雌ネジ部３に前記保持具ｘの雄ネジを螺合し、せき板の内面側から前記金具１の外端部を前記貫通孔４に通して、せき板を含む型枠を立てて仮設する。次に、せき板外面側から前記金具１の円筒形状の周面１ｘにある前記受貫通孔１ｅに前記防止部材５ａを打込み、せき板を狭持固定する。以上、の工程により上述した前記金具１が形成される。その後、前記座金６を端太材を介して前記工具受部１ｄの中心にある前記受貫通孔１ｅに前記防止部材５ａを打込んで型枠を固定する。また、対向側の型枠も上記同様の工程で固定しコンクリートを打設する。この際、前記金具１の前記他端面１ｂの外径が前記貫通孔４よりも大きく、打設したコンクリートが外面側に漏れることはない。そしてコンクリートが硬化後に、端太材からなる支保工を分解して前記金具１の外端部にある前記締結受部１ｆと、前記十字溝受部１ｇのいずれかに係合できる電動工具類で前記金具１を取外す。これにより、前記貫通孔４が前記金具１の前記他端面１ｂ外径に対して小さく形成されているので、前記金具１を螺合離脱することによって前記貫通孔４が規制されるのでせき板をコンクリート打設面より容易に取外すことができる。【００１３】  （実施形態４）
（変形例１）
図３に示す円錐台形状のコーン２の小径側端面２ａに、型枠間隔保持具ｙの一端を螺合する雌ネジ部３と、前記コーン２の大径側端面２ｂの凹部から円筒形状の周面に雄ネジ部１ｃと、二面以上の平坦部からなる操作用工具受部１ｄと、楔形状の緩み防止部材５ａを打込むための受貫通孔１ｅと、楔形状の緩み防止部材５ａと、外端部に外面を垂直平面とする中心に十字溝受部１ｇを有する締付金具１を形成し、さらに前記金具１に型枠を狭持固定する締付ナット部材５と、端太材を保持する締付座金６と、前記座金６を狭持固定するナット部材７を配置してある。前記金具１は、せき板を有する型枠と、前記保持具ｙと、前記コーン２の２ａと２ｂと、前記金具貫通孔４と、前記工具受部１ｄと、前記受貫通孔１ｅと、前記防止部材５ａと、前記十字溝受部１ｇから構成されている。せき板には、前記金具１の外径と同径の前記貫通孔４が設けられている。次に、以上の構成からなる型枠取付け兼用型枠除去具Ａの施工について説明する。施工に際しては、前記金具１の前記小径側端面２ａの雌ネジ部３に前記保持具ｙの雄ネジを螺合し、せき板の内面側から前記金具１の外端部を前記貫通孔４に通して、せき板を含む型枠を立てて仮設する。次に、せき板外面側から前記金具１の雄ネジ部１ｃに前記締付けナット５を螺合し、せき板を狭持固定する。以上、の工程により上述した前記金具１が形成される。その後、前記座金６と、前記座金６を狭持固定するナット部材７により端太材を介して型枠を狭持する。次に、前記工具受部１ｄの中心にある前記受貫通孔１ｅに前記防止部材５ａを打込んで型枠を固定する。また、対向側の型枠も上記同様の工程で固定しコンクリートを打設する。この際、前記金具１の前記大径側端面２ｂの外径が前記貫通孔４よりも大きく、前記金具１の型枠を狭持固定する前記ナット５も前記貫通孔４外径を完全に塞いでいるので、打設したコンクリートが外面側に漏れることはない。そしてコンクリートが硬化後に、端太材からなる支保工を分解して前記金具１の外端部にある前記十字溝受部１ｇに係合できる電動工具類で前記金具１を取外す。これにより、前記貫通孔４が前記金具１の前記大径側端面２ｂ外径に対して小さく形成されているので、前記金具１を螺合離脱することによって前記貫通孔４が規制されるのでせき板をコンクリート打設面より容易に取外すことができる。【００１４】  （実施形態５）
（変形例２）
図６に示す円錐台形状のコーン２の小径側端面２ａに、型枠間隔保持具ｙの一端を螺合する雌ネジ部３と、前記コーン２の大径側端面２ｂの凹部から円筒形状の周面１ｘに雄ネジ部１ｃと、二面以上の平坦部からなる操作用工具受部１ｄと、楔形状の緩み防止部材５ａを打込むための受貫通孔１ｅと、外端部に外面を垂直平面とする中心に十字溝受部１ｇを有する締付金具１を形成し、さらに前記金具１に型枠を狭持固定する前記防止部材５ａと、端太材を保持する締付座金６と、前記座金６を狭持固定するナット部材７を配置してある。前記金具１は、せき板を有する型枠と、前記保持具ｙと、前記コーンの２ａと２ｂと、前記金具貫通孔４と、前記工具受部１ｄと、前記受貫通孔１ｅと、前記防止部材５ａと、前記十字溝受部１ｇから構成されている。せき板には、前記金具１の外径と同径の前記貫通孔４が設けられている。次に、以上の構成からなる型枠取付け兼用型枠除去具Ｂの施工について説明する。施工に際しては、前記金具１の前記小径側端面２ａの雌ネジ部３に前記保持具ｙの雄ネジを螺合し、せき板の内面側から前記金具１の外端部を前記貫通孔４に通して、せき板を含む型枠を立てて仮設する。次に、せき板外面側から前記金具１の円筒形状の周面１ｘにある前記受貫通孔１ｅに、前記防止部材５ａを打込み、せき板を狭持固定する。以上、の工程により上述した前記金具１が形成される。その後、前記座金６と、前記座金６を狭持固定するナット部材７により端太材を介して型枠を狭持する。次に、前記工具受部１ｄの中心にある前記受貫通孔１ｅに前記防止部材５ａを打込んで型枠を固定する。また、対向側の型枠も上記同様の工程で固定しコンクリートを打設する。この際、前記金具１の前記大径側端面２ｂの外径が前記貫通孔４よりも大きく、打設したコンクリートが外面側に漏れることはない。そしてコンクリートが硬化後に、端太材からなる支保工を分解して前記金具１の外端部にある前記十字溝受部１ｇに係合できる電動工具類で前記金具１を取外す。これにより、前記貫通孔４が前記金具１の前記大径側端面２ｂ外径に対して小さく形成されているので、前記金具１を螺合離脱することによって前記貫通孔４が規制されるのでせき板をコンクリート打設面より容易に取外すことができる。【００１５】  （実施形態６）
（変形例３）
図９に示す円錐台形状のコーン２の小径側端面２ａに、型枠間隔保持具ｙの一端を螺合する雌ネジ部３と、前記コーン２の大径側端面２ｂの凹部から円筒形状の周面１ｘに、二面以上の平坦部からなる操作用工具受部１ｄと、楔形状の緩み防止部材５ａを打込むための受貫通孔１ｅと、外端部に四角柱形状の締結受部１ｆと、前記締結受部１ｆの外面を垂直平面とする中心に十字溝受部１ｇを有する締付金具１を形成し、さらに前記金具１に型枠を狭持固定する前記防止部材５ａと、端太材を保持する締付座金６と、前記座金６を挟持固定する前記防止部材５ａを配置してある。前記金具１は、せき板を有する型枠と、前記保持具ｙと、前記円形板状からなる１ａと１ｂと、前記金具貫通孔４と、前記工具受部１ｄと、前記受貫通孔１ｅと、前記防止部材５ａと、前記締結受部１ｆと、前記十字溝受部１ｇから構成されている。せき板には、前記金具１の外径と同径の前記貫通孔４が設けられている。次に、以上の構成からなる型枠取付け兼用型枠除去具Ｃの施工について説明する。施工に際しては、前記金具１の前記小径側２ａ端面１ａの雌ネジ部３に前記保持具ｙの雄ネジを螺合し、せき板の内面側から前記金具１の外端部を前記貫通孔４に通して、せき板を含む型枠を立てて仮設する。次に、せき板外面側から前記金具１の円筒形状の周面１ｘにある前記受貫通孔１ｅに前記防止部材５ａを打込み、せき板を狭持固定する。以上、の工程により上述した前記金具１が形成される。その後、前記座金６を端太材を介して前記工具受部１ｄの中心にある前記受貫通孔１ｅに前記防止部材５ａを打込んで型枠を固定する。また、対向側の型粋も上記同様の工程で固定しコンクリートを打設する。この際、前記金具１の前記大径側端面２ｂの外径が前記貫通孔４よりも大きく、打設したコンクリートが外面側に漏れることはない。そしてコンクリートが硬化後に、端太材からなる支保工を分解して前記金具１の外端部にある前記締結受部１ｆと、前記十字溝受部１ｇのいずれかに係合できる電動工具類で前記金具１を取外す。これにより、前記貫通孔４が前記金具１の前記大径側端面２ｂ外径に対して小さく形成されているので、前記金具１を螺合離脱することによって前記貫通孔４が規制されるのでせき板をコンクリート打設面より容易に取外すことができる。
【図面の簡単な説明】
【００１６】
【図１】  実施形態１に係る型枠取付け兼用型枠除去具の分解斜視図である。
【図２】  実施形態１に係る型枠取付け兼用型枠除去具の取付け図である。
【図３】  実施形態４に係る型粋取付け兼用型枠除去具の取付け図である。
【図４】  実施形態２に係る型枠取付け兼用型枠除去具の分解斜視図である。
【図５】  実施形態２に係る型枠取付け兼用型枠除去具の取付け図である。
【図６】  実施形態５に係る型枠取付け兼用型枠除去具の取付け図である。
【図７】  実施形態３に係る型粋取付け兼用型枠除去具の分解斜視図である。
【図８】  実施形態３に係る型粋取付け兼用型枠除去具の取付け図である。
【図９】  実施形態６に係る型枠取付け兼用型粋除去具の取付け図である。
【図１０】  実施形態１・２・４・５に係る型枠取付け兼用型枠除去具の外端部を示す平面図である。
【図１１】  実施形態３・６に係る型枠取付け兼用型枠除去具の外端部を示す平面図である。
【符号の説明】
【００１７】  Ａ    型枠取付け兼用型枠除去具
Ｂ    型枠取付け兼用型枠除去具
Ｃ    型枠取付け兼用型枠除去具
２    締付金具
１ｘ  円筒形状の周面
１ａ  円形板状の一端面
１ｂ  円形板状の他端面
１ｃ  雄ネジ部
１ｄ  操作用工具受部
１ｅ  受貫通孔
１ｆ  四角柱形状の締結受部
１ｇ  十字溝受部
２    円錐台形状のコーン
２ａ  円錐台形状のコーンの小径側端面
２ｂ  円錐台形状のコーンの大径側端面
３    雌ネジ部
６    貫通孔
７    型枠を狭持固定する締付けナット
５ａ  楔形状の緩み防止部材
６    締付座金
８    締付座金を狭持固定するナット部材
ｘ    型枠間隔保持具
ｙ    型枠間隔保持具